(57)【要約】  照明アレンジメント１００は、第１の色温度を持つ白色光を供給する少なくとも１つのＬＥＤを有する光源の第１グループ１０２と、第２の色温度を持つ白色光を供給する少なくとも１つのＬＥＤを有する光源の第２グループ１１０と、所定の主波長を持つ光を供給する少なくとも１つのＬＥＤを有する光源の第３グループ１１６とを有し、光源の前記第３グループ１１６は、蛍光体２０８、２０８'、２０８''、２０８'''、４１４を含む光変換装置２００、４００を受けるように構成され、前記光変換装置２００、４００は、光源の前記第３グループ１１６からの光を第３の色温度を持つ白色光に変換するように構成され、前記光変換装置２００、４００は、光源の前記第１グループ１０２及び前記第２グループ１１０のうちの一つと、光源の前記第３グループ１１６との間に電気的接続を提供するための電気的接続手段１２０を有するように構成される。
2015515085.tif 000002
【特許請求の範囲】
【請求項１】
‐  第１の色温度を持つ白色光を供給する少なくとも１つのＬＥＤを有する光源の第１グループと、
‐  第２の色温度を持つ白色光を供給する少なくとも１つのＬＥＤを有する光源の第２グループと、
‐  所定の主波長を持つ光を供給する少なくとも１つのＬＥＤを有する光源の第３グループと、を有し、
光源の前記第３グループは、蛍光体を含む光変換装置を受け、前記光変換装置は、光源の前記第３グループからの光を第３の色温度を持つ白色光に変換し、前記光変換装置は、光源の前記第１グループ及び前記第２グループのうちの一つと、光源の前記第３グループとの間に電気的接続を提供するための電気的接続手段を有する、照明アレンジメント。
【請求項２】
前記所定の主波長は、４４０−４６０ｎｍの間にある、請求項１に記載の照明アレンジメント。
【請求項３】
光源の前記第１グループ及び前記第２グループは、複数のＬＥＤモジュールを含む、請求項１又は２に記載の照明アレンジメント。
【請求項４】
前記複数のＬＥＤモジュールの各々は、互いに、及び、前記光変換装置の前記電気的接続手段に、直列に電気的に接続される、請求項３に記載の照明アレンジメント。
【請求項５】
第４の色温度を持つ白色光を供給する少なくとも１つのＬＥＤを有する光源の第４グループを更に有する、請求項１乃至４のいずれか一項に記載の照明アレンジメント。
【請求項６】
前記第１の色温度は、寒色系の白色の色温度であり、前記第２の色温度は、暖色系の白色の色温度である、請求項１乃至５のいずれか一項に記載の照明アレンジメント。
【請求項７】
前記光変換装置は、押圧、はんだ付け、又は接着により、光源の前記第３グループに設けられる、請求項１乃至６のいずれか一項に記載の照明アレンジメント。
【請求項８】
‐  請求項１乃至７のいずれか一項に記載の照明アレンジメントと、
‐  前記照明アレンジメントから光を受け取り、混合光出力を提供する光混合装置と、を有する、ＬＥＤモジュール。
【請求項９】
光源の前記第１グループ及び／又は前記第２グループの動作を制御するための制御ユニットを更に有する、請求項８に記載のＬＥＤモジュール。
【発明の詳細な説明】
【技術分野】
【０００１】
本発明は、発光ダイオードの分野、より具体的には、発光ダイオードの色変換に関する。
【背景技術】
【０００２】
発光ダイオード（ＬＥＤ）は、幅広い照明アプリケーションで使用されている。ＬＥＤ光源は、例えば白色光を生成するために用いられ、種々異なるアプリケーションには種々異なる光の質が必要である。いくつかのアプリケーションに対しては、例えば約２７００Ｋの色温度を持つ白色光、すなわち暖色系の白色光を供給することが望まれており、一方で、他のアプリケーションに対しては、例えば約６０００Ｋの色温度を持つ白色光、すなわち寒色系の白色光を供給することが望まれている。
【０００３】
白色光を供給するためには、１つのアプローチは、青色ＬＥＤを蛍光体でコーティングすることである。これにより、青色ＬＥＤからの青色光の部分は、蛍光体によって、短波長から長波長へと変換され、これによりいわゆる蛍光体ベースの白色ＬＥＤが製造される。白色光の特性、例えば色温度は、種々異なる蛍光体材料を提供することによって変えることができ、又は変化させることができる。白色光の特性はまた、蛍光体の種々異なる厚み及び／又はコーティングを提供することによって変化してもよい。更に、所望の色温度を持つ白色光を供給するために、種々異なる温度の白色光を供給するＬＥＤがしばしば用いられ、互いに混合される。例えば、寒色系の白色光を供給するＬＥＤは、より暖色系の白色光を供給するＬＥＤと組み合わされ、混合されてもよい。
【０００４】
種々異なる種類の白色光特性と、例えばＬＥＤなど半導体製品の製造に関するパフォーマンスの特有のバリエーションとを要するさまざまなアプリケーションのために、例えば調整可能な白色色温度が必要とされる場合、相当な数の組合せが可能である。従って、種々異なる白色光を持つＬＥＤを組み合わせる上述のアプローチの課題は、所望の組合せを達成するために多くの照明モジュールが利用可能でなければならないことである。
【発明の概要】
【発明が解決しようとする課題】
【０００５】
上述の課題を少なくとも部分的に克服するために改良された照明アレンジメントを提供することが、本発明の目的である。
【課題を解決するための手段】
【０００６】
本発明の一態様によれば、第１の色温度を持つ白色光を供給する少なくとも１つのＬＥＤを有する光源の第１グループと、第２の色温度を持つ白色光を供給する少なくとも１つのＬＥＤを有する光源の第２グループと、所定の主波長を持つ光を供給する少なくとも１つのＬＥＤを有する光源の第３グループとを有し、光源の前記第３グループは、蛍光体を含む光変換装置を受けるように構成され、前記光変換装置は、光源の前記第３グループからの光を第３の色温度を持つ白色光に変換するように構成され、前記光変換装置は、光源の前記第１グループ及び前記第２グループのうちの一つと、光源の前記第３グループとの間に電気的接続を提供するための電気的接続手段を有するように構成される、照明アレンジメントを提供する。
【０００７】
本発明は、照明アレンジメントが、所定の主波長を持ち、且つ、光源の第１グループ又は第２グループのうちの一つに適応的に接続される電気的接続手段を有する光変換装置を受けるように構成された、光を供給する少なくとも１つのＬＥＤを含む光源の第３グループが備えられてもよいという洞察に基づく。これによって、光源の第１グループ又は第２グループのいずれかと共に連動して電気的に制御されるように光源の第３グループを選択的に接続することにより、照明アレンジメントにより放射される全光は、照明アレンジメントからの白色の色温度の特定の所望の出力に基づいて制御され、調整されることができる。例えば、光源の第１グループにより供給される光の混合が、所望の光の混合よりもわずかに寒色系である場合、所定の主波長及び光変換装置を用いてより暖色系の白色の色温度を提供するように第３グループを構成し、この結果、光源の第１グループのわずかにより寒色系の色温度を補償することにより、色温度は調整されてもよい。これによって、従って、光源の第３グループを別個に制御することに頼る必要はなく、照明アレンジメントの調整が可能となる。従って、この場合、第３の色温度が第１の色温度よりも暖色系（すなわちより低いケルビン）であるように、光変換装置の蛍光体は選択されてもよい。
【０００８】
所望よりもわずかに暖色系の白色の色温度を提供する第１グループを持ち、よって、より寒色系の白色の色温度を提供するように光源の第３グループを構成することにより補償する場合に、当然ながら同じ効果が得られる。これによって、照明アレンジメントからの白色光の総出力は、照明アレンジメントからの所望の白色光出力の基準を満たすように調整されてもよい。利点は、少なくとも、第１グループ及び第２グループのＬＥＤがより自由に選択され、光源の第３グループによって白色の色温度に関して、補償される可能性がある点である。
【０００９】
更に、本発明は、光変換装置に配置される蛍光体の特定の種類及び特性に限定されない、すなわち、蛍光体の材料、厚み、コーティングなどの選択は、例えば光変換装置からの白色光の所望の出力に依存して変化してもよい。また、光源の第１グループ及び第２グループの各々も、第１の色温度及び第２の色温度を持つ白色光を提供するために、蛍光体が配置された少なくとも１つのＬＥＤが備えられる。蛍光体の特性は、種々異なる白色の色温度を提供するために、光源の第１グループ及び第２グループに対して種々異なってもよい。更に、説明の全体を通して、光変換装置は、照明アレンジメントの一部を形成すると解釈されるべきである。更に、光を白色へ変換する代わりに、光変換装置に配置される蛍光体はまた、光を例えば琥珀など多少飽和色に変換するように構成されてもよい。
【００１０】
好ましくは、所定の主波長は、４４０−４６０ｎｍの間にあり、例えば蛍光体変換に適している青色光源によって供給される。代替の実施形態では、第３グループの光源は、ＵＶ又は紫色の光を供給する。
【００１１】
更に、光源の第１グループ及び第２グループは、複数のＬＥＤモジュールを含んでもよい。光源の第１グループ及び第２グループの各々に設けられる複数のＬＥＤモジュールは、基本的に同じ色温度を持つ白色光を供給してもよく、又は互いに組み合わさったこれらが、第１の色温度及び第２の色温度を持つ白色光を供給するように、これらは、わずかに異なる色温度を持つ白色光を供給してもよい。更に、複数のＬＥＤモジュールの各々は、互いに、及び、光変換装置の電気的接続手段に、直列に電気的に接続されてもよい。これによって、電気駆動電流は、光源の第１グループ及び第２グループのＬＥＤモジュールの各々を通して、並びに光変換装置を通して、供給されることができる。
【００１２】
「寒色系の白色の色温度」なる表現は、約３５００―７０００ケルビンの範囲の色温度を持つ白色として解釈されるべきであり、一方で、「暖色系の白色の色温度」なる表現は、約１８００―３５００ケルビンの範囲の色温度を持つ白色として解釈されるべきである。
【００１３】
更に、光変換装置は、例えば押圧、はんだ付け、又は接着により光源の第３グループに提供されてもよい。
【００１４】
更に、照明アレンジメントは、ＬＥＤモジュールのコンポーネントとして好ましくは提供され、前記ＬＥＤモジュールは、照明アレンジメントから光を受け取り、混合光出力を提供するように構成された光混合装置を更に有する。これによって、所望の白色の色温度がＬＥＤモジュールから提供されるように、ＬＥＤモジュールから放射される光は混合されてもよい。
【００１５】
更に、ＬＥＤモジュールは、光源の第１グループ及び／又は第２グループの動作を制御するための制御ユニットを含んでもよい。これによって、制御ユニットは、所望の色温度を持つ出力白色光を供給するために、光の混合を決定し、制御してもよい。
【００１６】
本発明の他の特徴及び利点は、添付の請求項及び以下の説明を検討すると明らかになるだろう。当業者は、本発明の種々異なる特徴は、本発明の範囲を逸脱することなく、以下に説明される実施形態以外の実施形態を作るために組み合わされてもよいことを理解する。
【図面の簡単な説明】
【００１７】
本発明のこれら及び他の態様は、本発明の例示的な実施形態を示す添付の図面を参照して、より詳細に説明されるだろう。
【００１８】
【図１】図１は、本発明による照明アレンジメントの例示的な実施形態を図示する。
【図２ａ】図２ａは、本発明の照明アレンジメントに使用する光変換装置の例の一つを図示する。
【図２ｂ】図２ｂは、本発明の照明アレンジメントに使用する光変換装置の例の一つを図示する。
【図２ｃ】図２ｃは、本発明の照明アレンジメントに使用する光変換装置の例の一つを図示する。
【図２ｄ】図２ｄは、本発明の照明アレンジメントに使用する光変換装置の例の一つを図示する。
【図３ａ】図３ａは、照明アレンジメント及び光変換装置の例示される接続方式を図示する。
【図３ｂ】図３ｂは、照明アレンジメント及び光変換装置の例示される接続方式を図示する。
【図３ｃ】図３ｃは、照明アレンジメント及び光変換装置の例示される接続方式を図示する。
【図４】図４は、本発明による照明アレンジメントに接続される光変換装置の代替構成を図示する。
【発明を実施するための形態】
【００１９】
本発明は、発明の現在好ましい実施形態が示される添付の図面を参照して、以下により十分に説明されるだろう。しかしながら、この発明は、多くの種々異なる形式に具体化されてもよく、本願明細書に明記される実施形態に限定されると解釈されるべきではない。むしろ、これらの実施形態は、徹底性及び完全性のために提供され、当業者に発明の範囲を十分に伝える。同じ参照符号は、全体を通して同じ要素を指す。
【００２０】
図面及び特に図１を参照すると、発明の現在好ましい実施形態による照明アレンジメント１００が表現されている。照明アレンジメント１００は、光源の第１グループ１０２を有し、図示される実施形態では、３つの光源１０４、１０４'、１０４''を有するとして表現され、光源１０４、１０４'、１０４''の各々は、少なくとも１つのＬＥＤを有し、第１の色温度を持つ白色光を供給するように構成される。第１の色温度は、以下及び残りの記述全体を通して、寒色系の白色の色温度として説明され、これは、約３５００−７０００ケルビンの範囲の色温度を持つ白色と解釈されるべきである。更に、図１に表現される３つの光源１０４、１０４'、１０４''は、 電気配線１０８、例えばプリント回路基板（ここでは不図示）上のトラックにより互いに直列に電気的に接続され、電気駆動電流ＩＣＷが供給されるように適合される。
【００２１】
更に、照明アレンジメント１００は、光源の第２グループ１１０も有し、図示される実施形態では、３つの光源１１２、１１２'、１１２''を有するとして表現され、光源１１２、１１２'、１１２''の各々は、少なくとも１つのＬＥＤを有し、第２の色温度を持つ白色光を供給するように構成される。第２の色温度は、以下及び残りの記述全体を通して、暖色系の白色の色温度として説明され、これは、約１８００−３５００ケルビンの範囲の色温度を持つ白色と解釈されるべきである。更に、光源の第１グループ１０２に関して上記と同様に、光源の第２グループ１１０の３つの光源１１２、１１２'、１１２''は、電気配線１０８'、例えば回路基板（ここでは不図示）上のトラックにより互いに直列に電気的に接続され、電気駆動電流ＩＷＷが供給されるように適合される。
【００２２】
更に、照明アレンジメント１００は、光源の第３グループ１１６も有する。光源の第３グループ１１６は、所定の波長を持つ光を供給する少なくとも１つのＬＥＤ１１８を有し、これは、以下及び残りの記述全体を通して、例えば４４０−４６０ｎｍの範囲の波長を持つ青色光を提供するように構成されたＬＥＤである。青色ＬＥＤ１１８は、プリント回路基板（ここでは不図示）に電気的に接続される。
【００２３】
図２ａ乃至図２ｄを見ると、本発明による照明アレンジメント１００に使用する光変換装置２００の例示的な実施形態が図示されている。図２ａから始めて、光変換装置２００の第１の実施形態が図示されている。光変換装置２００は、ホルダー２０２と、内部電気配線の第１のセット２０４と、内部電気配線の第２のセット２０５と、電気的接続手段２０６と、蛍光体２０８とを有する。更に、光変換装置２００は、光源の第３グループ１１６に設けられる又は組み合わされるように適合され、その結果、光変換装置２００のホルダー２０２に配置される蛍光体２０８は、例えばホルダー２０２に配置される蛍光体材料の選択によって、青色光を第３の色温度に変換することができる。更に、図２ａに図示される光変換装置２００は、寒色系の白色の色温度を提供するための光源の第３グループ１１６に設けられる又は組み合わされるように適合されている。これは、適切な蛍光体２０８を選択することにより、且つ、光源の第３グループ１１６が、光源の第１グループ１０２の電気駆動電流ＩＣＷにより電気的に直列に駆動されるように、内部電気配線の第１のセット２０４を光源の第１グループ１０２に電気的に接続することで、光源の第１グループ１０２の電力供給と共に光源の第３グループ１１６に電力を供給することにより達成される。電気駆動電流ＩＷＷが、光源の第２グループ１１０にのみ供給されるように、すなわち内部電気配線の第２のセット２０５が、光源の第２グループ１１０の電気回路を閉じるように、光源の第２のグル−プ１１０は、光変換装置２００に配置された内部電気配線の第２のセット２０５に電気的に接続される。これは、図３ａの記述に関してより詳細に説明されるだろう。
【００２４】
図２ｂは、光変換装置２００の別の実施形態を図示する。光変換装置２００は、光源の第３グループ１１６に設けられる又は組み合わされるように適合され、その結果、図２ａに関して上述されたように、光変換装置２００のホルダー２０２に配置される蛍光体２０８'は、例えばホルダー２０２に配置される蛍光体材料の選択によって、青色光を第３の色温度に変換することができる。図２ａに図示される光変換装置と図２ｂに図示される光変換装置との違いは、内部電気配線の第１のセット２０４'は、光源の第３グループ１１６と、光源の第２グループ１１０とが共に、光源の第２グループ１１０の電気駆動電流ＩＷＷにより電気的に駆動されるように、これらの間に接続を提供することである。従って、電気駆動電流ＩＣＷが、光源の第１グループ１０２にのみ供給されるように、すなわち内部電気配線の第２のセット２０５'が、光源の第１グループ１０２の電気回路を閉じるように、内部電気配線の第２のセット２０５'は、光源の第１グループ１０２に接続される。これによって、光変換装置２００は、光源の第２グループ１１０と連動して電力が供給され、適切な蛍光体２０８'が光変換装置に選択されると、暖色系の白色の色温度を提供し、これは、図３ｂに関してより詳細に説明されるだろう。
【００２５】
図２ｃは、光変換装置２００の更に別の実施形態を図示する。図２ｃに表現される光変換装置は、寒色系の白色の色温度を提供するように適合されているが、蛍光体２０８''を持つ光源の第３グループ１１６は、光源の第２グループ１１０の電気駆動電流ＩＷＷからの電流が供給される、すなわち電力が供給される。従って、内部電気配線の第１のセット２０４'は、光源の第３グループ１１６と、光源の第２グループ１１０とが共に、光源の第２グループ１１０の電気駆動電流ＩＷＷにより電気的に駆動されるように、これらの間に接続を提供する。従って、電気駆動電流ＩＣＷが、光源の第１グループ１０２にのみ供給されるように、すなわち内部電気配線の第２のセット２０５'が、光源の第１グループ１０２の電気回路を閉じるように、内部電気配線の第２のセットは、光源の第１グループ１０２に接続される。同様の態様で、図２ｄに表現される光変換装置の実施形態は、暖色系の白色の色温度を提供するように適合されているが、蛍光体２０８'''を持つ光源の第３グループ１１６は、光源の第１グループ１０２の電気駆動電流ＩＣＷからの電流が供給される。従って、内部電気配線の第１のセット２０４は、光源の第３グループ１１６と、光源の第１グループ１０２とが共に、光源の第１グループ１０２の電気駆動電流ＩＣＷにより電気的に駆動されるように、これらの間に接続を提供する。従って、電気駆動電流ＩＷＷが光源の第２グループ１１０にのみ供給されるように、すなわち内部電気配線の第２のセット２０５が、光源の第２グループ１１０の電気回路を閉じるように、内部電気配線の第２のセット２０５は、光源の第２グループ１１０に接続される。図２ｃ乃至図２ｄに図示される光変換装置２００の実施形態は、図３ｃの記述に関してより詳細に説明されるだろう。
【００２６】
照明アレンジメントの機能性をより詳細に説明するために、本発明による照明アレンジメントの３つの種々異なる例示的な実施形態を図示する図３ａ乃至図３ｃに注目する。先ず図３ａでは、光変換装置２００は、図２ａに図示されたものである。例えば図３ａに表現される構成は、例えば光源の第１グループ１０２が、所望よりもわずかに暖色系の白色の色温度を提供する場合の使用を対象とする。光変換装置２００は、光源の第３グループ１１６に接続される。これは、光変換装置２００を光源の第３グループに、例えば押圧、挿入、又ははんだ付けにより達成することができる。光変換装置２００と光源の第３グループ１１６との間の接続を行う他の態様は、当然ながら考えられる。更に、光源の第３グループ１１６の電気的接続手段１２０（図１を参照）は、内部電気配線の第１のセット２０４に電気的に接続されており、これは、光源の第１グループ１０２の電気駆動電流ＩＣＷに電気的に接続されている。これによって、光源の第１グループ１０２の電気駆動電流ＩＣＷは、光源の第１グループ１０２と、光源の第３グループ１１６とに供給される。更に、内部電気配線の第２のセット２０５は、光源の第２グループ１１０の電気回路を閉じる。従って、光源の第１グループ１０２の白色の色温度が、所望よりもわずかに暖色系の白色の色温度を提供する場合、図３ａの構成に図示される光変換装置２００は、それ故、光源の第３グループ１１６と連動して、わずかにより寒色系の色温度を提供することにより、わずかにより暖色系の色温度を補償する。従って、この場合、光変換装置２００の蛍光体２０８は、第３の色温度が第１の色温度よりも寒色系（すなわちより高いケルビン）であるように選択される。
【００２７】
図３ｂを見ると、図示される光変換装置２００は、図２ｂに表現されたものである。例えば図３ｂに表現される構成は、例えば光源の第２グループ１１０が、所望よりもわずかに寒色系の白色の色温度を提供する場合の使用を対象とする。光変換装置２００は、図３ａに関して上記と同じ態様で光源の第３グループに接続されている。図３ａと図３ｂとの照明アレンジメント１００の主な違いは、図３ｂでは、光源の第３グループ１１６の電気的接続手段１２０は、これが内部電気配線の第１のセット１０４'に電気的に接続されるように構成されており、これは、光源の第２グループ１１０の電気駆動電流ＩＷＷに電気的に接続されていることである。これによって、光源の第２グループ１１０の電気駆動電流ＩＷＷは、光源の第２グループ１１０と、光源の第３グループ１１６とに供給される。更に、内部電気配線の第２のセット２０５'は、光源の第１グループ１０２の電気回路を閉じる。従って、光源の第２グループ１１０の白色の全色温度が、所望よりもわずかに寒色系の白色の色温度を提供する場合、図３ｂの構成に図示される光変換装置２００は、従って、光源の第３グループ１１６と連動して、わずかにより暖色系の色温度を提供することにより、わずかにより寒色系の色温度を補償する、すなわち光源の第３グループ１１６が、光源の第２グループ１１０と連動して、暖色系の白色光の増加をもたらす。従って、この場合、第３の色温度が第２の色温度よりも暖色系（すなわちより低いケルビン）であるように、光変換装置２００の蛍光体２０８'は選択される。
【００２８】
照明アレンジメントの別の実施形態が図３ｃに図示されており、これは、図２ｄに図示された光変換装置を有する。図３ｃに表現される構成は、例えば光源の第１グループ１０２が、所望よりもわずかに寒色系の白色の色温度を提供する場合の使用を対象とする。更に、光源の第３グループ１１６の電気的接続手段１２０は、内部電気配線の第１のセット２０４に電気的に接続されており、これは、光源の第１グループ１０２の電気駆動電流ＩＣＷに電気的に接続されている。これによって、光源の第１グループ１０２の電気駆動電流ＩＣＷは、光源の第１グループ１０２と、光源の第３グループ１１６とに供給される。更に、内部電気配線の第２のセット２０５は、光源の第２グループ１１０の電気回路を閉じる。従って、光源の第１グループ１０２の白色の色温度が、所望よりもわずかに寒色系の白色の色温度を提供する場合、図３ｃの構成に図示される光変換装置２００は、従って、光源の第３グループ１１６の蛍光体２０８'''の適切な選択と共に、わずかにより暖色系の色温度を提供することにより、わずかにより寒色系の色温度を補償する。
【００２９】
図４を参照すると、本発明による照明アレンジメント１００に接続される光変換装置４００の代替構成が図示されている。光変換装置４００は、上記の光源の第３グループを有する、つまり光源の第３グループのＬＥＤのうちの一つであるＬＥＤパッケージ４０２を有する。ＬＥＤパッケージは、電気駆動チャネル４０４、４０６、４０８のための接触部が設けられており、第１の駆動チャネル４０４は、光源の第１グループに電気的に接続され、第２の駆動チャネル４０６は、光源の第２グループに電気的に接続され、第３の駆動チャネルは、光源の第４グループに電気的に接続されている。光源の第４グループは、第４の色温度を持つ白色光を供給するように構成された少なくとも１つのＬＥＤを有する。これによって、光変換装置４００は、従って、例えば図３ａ乃至図３ｃに関して表現される上記の光変換装置よりも多くの光源に電気的に接続されてもよい。更に、図４の図示される実施形態では、光源の第３グループは、例えばＬＥＤパッケージ４０２に電力を供給するための電源（ここに不図示）への電気端子などの電気入力インタフェース４１０を介して電気的に接続される。ＬＥＤパッケージ４０２は、ＬＥＤパッケージ４０２上に設けられた蛍光体キャップ４１４内に配置された内部電気配線４１２を介して、及び第１の駆動チャネル４０４を介して、光源の第１グループに更に接続される。更に、第２の電気駆動チャネル４０６及び第３の電気駆動チャネル４０８はそれぞれ、光源の第２グループ及び第４グループの電気回路を閉じる。従って、図４に図示される光変換装置４００は、蛍光体キャップ４１４内に配置された内部電気配線４１２を介して、電気入力インタフェース４１０を第１の駆動チャネル４０４、すなわち光源の第１グループに接続することにより、照明アレンジメントから出力される全光に寄与してもよい。内部電気配線４１２は、当然ながら、上記の光源の第１グループの代わりに、それぞれ第２の駆動チャネル４１６又は第３の駆動チャネル４０８を介して、光源の第２グループのうちの一つ又は第４グループのうちの一つに更に接続されてもよい。内部電気配線４１２は、内部電気配線４１２がＬＥＤパッケージ４０２から放射される光に影響をあまり与えないように、図４に表現される蛍光体キャップ４１４以外の位置に配置されてもよいことに留意すべきである。
【００３０】
図４に表現される実施形態の利点は、内部電気配線４１２が蛍光体キャップ４１４内に設けられるので、少なくとも光変換装置のサイズを小型化することができる点である。他の利点は、例えば図３ａ乃至図３ｃに関する上記の利点と同様である。
【００３１】
更に、照明アレンジメントの上記の例示的な実施形態は、コーディング基準が設けられても良い。これによって、光変換装置は、光変換装置を、光源の第１グループ、第２グループ、又は図４に表現される例示的な実施形態についての第４グループのいずれかに制御可能に且つ電気的に接続する電気的接続要素により構成されてもよい。これは、光変換装置２００の方向が、光源の第１グループ、第２グループ、又は第４グループのうちのどれが光源の第３グループと電気的に接続するかを選択するように、例えば光源の第３グループ１１６の電気的接続手段２０６の形状及び位置を提供することにより達成される。
【００３２】
図４に表現される実施形態は、第１の駆動チャネル４０４、第２の駆動チャネル４０６、及び第３の駆動チャネル４０８による、光源の３つのグループへの接続について図示しているが、当業者は、光変換装置４００は、例えば図１に表現される照明アレンジメント１００に利用されてもよいと当然に理解する。
【００３３】
本発明は、具体的な例示された実施形態を参照して説明されてきたが、多くの種々異なる変更、修正、及びこれらに類するものが、当業者にとって明らかになるであろう。図面、開示内容、及び添付の特許請求の範囲の検討から、開示された実施形態のバリエーションは、特許に係る発明を実施する際に、当業者によって理解され、達成されることができる。例えば、光変換装置は、更なる光源のグループに接続されてもよく、すなわち光変換装置に接続された光源の第１グループ、第２グループ、又は第４グループを有する上記の例示的な実施形態は、本発明の範囲を制限するものとして解釈されるべきではない。更に、請求項において、単語「有する（comprising）」は、他の要素又はステップを除外せず、不定冠詞「ａ」又は「an」は複数を除外しない。
【図１】
2015515085.tif 000003
【図２ａ】
2015515085.tif 000004
【図２ｂ】
2015515085.tif 000005
【図２ｃ】
2015515085.tif 000006
【図２ｄ】
2015515085.tif 000007
【図３ａ】
2015515085.tif 000008
【図３ｂ】
2015515085.tif 000009
【図３ｃ】
2015515085.tif 000010
【図４】
2015515085.tif 000011
【国際調査報告】
2015515085.tif 000012
2015515085.tif 000013